(57)【特許請求の範囲】
【請求項１】
端末の通信の制御を行う通信制御装置の当該通信に関する設定の変更を行う通信制御装置の設定変更方法であって、
前記通信制御装置は、前記端末の通信に関する呼処理を行う呼処理サーバとともに用いられ、かつ、当該通信制御装置に対して送信される通信制御情報により前記設定の変更を行うものであり、
前記呼処理サーバは、
前記端末を使用する加入者に関する加入者情報を保持する加入者情報管理機能部と、前記端末の通信に関する呼処理を行う呼処理制御部と、前記通信制御装置のリソースを管理するリソース管理部とを備え、
前記通信制御装置の設定変更方法は、
前記加入者情報管理機能部が、前記端末から前記加入者情報を更新するための信号を受信したなら、当該加入者情報を更新し、当該更新後の加入者情報を前記呼処理制御部に送信し、
前記呼処理制御部が、前記加入者情報が送信されたなら、前記端末に関する前記通信制御装置におけるリソースを予約するためのリソース予約情報を前記加入者情報に基づいて生成するとともに当該リソース予約情報を前記リソース管理部に送信し、
前記リソース管理部が、前記リソース予約情報が送信されたなら、前記通信制御情報を当該リソース予約情報に基づいて生成するとともに当該通信制御情報を前記通信制御装置に送信する
ことを特徴とする通信制御装置の設定変更方法。
【請求項２】
端末の通信の制御を行う通信制御装置の当該通信に関する設定の変更を行う通信制御装置の設定変更方法であって、
前記通信制御装置は、前記端末の通信に関する呼処理を行う呼処理サーバとともに用いられ、かつ、当該通信制御装置に対して送信される通信制御情報により前記設定の変更を行うものであり、
前記呼処理サーバは、
前記端末を使用する加入者に関する加入者情報を保持する加入者情報管理機能部と、前記端末の通信に関する呼処理を行う呼処理制御部と、前記通信制御装置のリソースを管理するリソース管理部とを備え、
前記通信制御装置の設定変更方法は、
前記加入者情報管理機能部が、前記端末の通信を行う通信ネットワークを保守する保守者に使用される保守者端末から前記加入者情報を更新するための信号を受信したなら、当該加入者情報を更新し、当該更新後の加入者情報を前記呼処理制御部に送信し、
前記呼処理制御部が、前記加入者情報が送信されたなら、前記端末に関する前記通信制御装置におけるリソースを予約するためのリソース予約情報を前記加入者情報に基づいて生成するとともに当該リソース予約情報を前記リソース管理部に送信し、
前記リソース管理部が、前記リソース予約情報が送信されたなら、前記通信制御情報を当該リソース予約情報に基づいて生成するとともに当該通信制御情報を前記通信制御装置に送信する
ことを特徴とする通信制御装置の設定変更方法。
【請求項３】
端末の通信に関する呼処理を行う呼処理サーバであって、
前記呼処理サーバは、前記端末の通信の制御を行う通信制御装置とともに用いられ、
前記通信制御装置は、当該通信制御装置に対して送信される通信制御情報により当該通信制御装置における前記端末の通信に関する設定の変更を行うものであり、
前記呼処理サーバは、
前記端末を使用する加入者に関する加入者情報を保持する加入者情報管理機能部と、前記端末の通信に関する呼処理を行う呼処理制御部と、前記通信制御装置のリソースを管理するリソース管理部とを備え、
前記加入者情報管理機能部は、前記端末から前記加入者情報を更新するための信号を受信したなら、当該加入者情報を更新し、当該更新後の加入者情報を前記呼処理制御部に送信し、
前記呼処理制御部は、前記加入者情報が送信されたなら、前記端末に関する前記通信制御装置におけるリソースを予約するためのリソース予約情報を前記加入者情報に基づいて生成するとともに当該リソース予約情報を前記リソース管理部に送信し、
前記リソース管理部は、前記リソース予約情報が送信されたなら、前記通信制御情報を当該リソース予約情報に基づいて生成するとともに当該通信制御情報を前記通信制御装置に送信する
ことを特徴とする呼処理サーバ。
【請求項４】
端末の通信に関する呼処理を行う呼処理サーバであって、
前記呼処理サーバは、前記端末の通信の制御を行う通信制御装置とともに用いられ、
前記通信制御装置は、当該通信制御装置に対して送信される通信制御情報により当該通信制御装置における前記端末の通信に関する設定の変更を行うものであり、
前記呼処理サーバは、
前記端末を使用する加入者に関する加入者情報を保持する加入者情報管理機能部と、前記端末の通信に関する呼処理を行う呼処理制御部と、前記通信制御装置のリソースを管理するリソース管理部とを備え、
前記加入者情報管理機能部は、前記端末の通信を行う通信ネットワークを保守する保守者に使用される保守者端末から前記加入者情報を更新するための信号を受信したなら、当該加入者情報を更新し、当該更新後の加入者情報を前記呼処理制御部に送信し、
前記呼処理制御部は、前記加入者情報が送信されたなら、前記端末に関する前記通信制御装置におけるリソースを予約するためのリソース予約情報を前記加入者情報に基づいて生成するとともに当該リソース予約情報を前記リソース管理部に送信し、
前記リソース管理部は、前記リソース予約情報が送信されたなら、前記通信制御情報を当該リソース予約情報に基づいて生成するとともに当該通信制御情報を前記通信制御装置に送信する
ことを特徴とする呼処理サーバ。
【発明の詳細な説明】
【技術分野】
【０００１】
本発明は、加入者情報の更新を契機に通信制御装置の設定変更を行う通信制御装置の設定変更方法および加入者情報の更新を契機に通信制御装置の設定変更を行うことが可能な呼処理サーバに関するものである。
【背景技術】
【０００２】
エッジルータ等の通信制御装置は、サービスの契約種別等の加入者情報に基づいて、加入者の端末についての通信制御を行う。通信制御装置の設定を変更することによって、新規加入者端末と呼処理サーバの通信を許可したり、契約解除した加入者端末と呼処理サーバの通信を拒否することができる。そのため、加入者情報の新規登録や変更更新、削除に応じて、通信制御装置の設定を変更する必要がある。
【０００３】
加入者情報の更新や削除は、保守者によるシステムへのサービスオーダの投入や、端末からのＤＨＣＰ信号等の信号を契機に行われる。
【０００４】
従来においては、端末からの加入者情報変更要求に対して、網側（交換機側）で設定変更を完結させていた。例えば、端末と交換機の間でサービス変更受付番号と変更する提供サービス条件を送受し、端末へサービス提供を即時変更可能とする加入者情報変更処理方法がある（特許文献１参照）。
【０００５】
また、端末からの接続／切断要求信号を網が受け取ると、端末のＩＰアドレスが加入者データ蓄積部に記憶されているかを判断し、端末の接続を許可／禁止するように通信制御装置へ指示するシステムがある（特許文献２参照）。
【先行技術文献】
【特許文献】
【０００６】
【特許文献１】特開平６−３１１５４５号公報
【特許文献２】特開２００９−２５８９６５号公報
【発明の概要】
【発明が解決しようとする課題】
【０００７】
しかしながら、上記の技術は、既に登録されている加入者情報に基づいて、端末等からの信号を契機に通信制御装置の設定を行うものであって、加入者情報の更新(新規登録や削除も含む)を契機に通信制御装置の設定を行うことはできない。
【０００８】
本発明は、上記の課題に鑑みてなされたものであり、その目的とするところは、加入者情報の更新を契機に通信制御装置の設定変更を行う通信制御装置の設定変更方法および加入者情報の更新を契機に通信制御装置の設定変更を行うことが可能な呼処理サーバを提供することにある。
【課題を解決するための手段】
【０００９】
上記の課題を解決するために、第１の本発明は、端末の通信の制御を行う通信制御装置の当該通信に関する設定の変更を行う通信制御装置の設定変更方法であって、前記通信制御装置は、前記端末の通信に関する呼処理を行う呼処理サーバとともに用いられ、かつ、当該通信制御装置に対して送信される通信制御情報により前記設定の変更を行うものであり、前記呼処理サーバは、前記端末を使用する加入者に関する加入者情報を保持する加入者情報管理機能部と、前記端末の通信に関する呼処理を行う呼処理制御部と、前記通信制御装置のリソースを管理するリソース管理部とを備え、前記通信制御装置の設定変更方法は、前記加入者情報管理機能部が、前記端末から前記加入者情報を更新するための信号を受信したなら、当該加入者情報を更新し、当該更新後の加入者情報を前記呼処理制御部に送信し、前記呼処理制御部が、前記加入者情報が送信されたなら、前記端末に関する前記通信制御装置におけるリソースを予約するためのリソース予約情報を前記加入者情報に基づいて生成するとともに当該リソース予約情報を前記リソース管理部に送信し、前記リソース管理部が、前記リソース予約情報が送信されたなら、前記通信制御情報を当該リソース予約情報に基づいて生成するとともに当該通信制御情報を前記通信制御装置に送信する
ことを特徴とする通信制御装置の設定変更方法をもって解決手段とする。
【００１０】
第２の本発明は、端末の通信の制御を行う通信制御装置の当該通信に関する設定の変更を行う通信制御装置の設定変更方法であって、前記通信制御装置は、前記端末の通信に関する呼処理を行う呼処理サーバとともに用いられ、かつ、当該通信制御装置に対して送信される通信制御情報により前記設定の変更を行うものであり、前記呼処理サーバは、前記端末を使用する加入者に関する加入者情報を保持する加入者情報管理機能部と、前記端末の通信に関する呼処理を行う呼処理制御部と、前記通信制御装置のリソースを管理するリソース管理部とを備え、前記通信制御装置の設定変更方法は、前記加入者情報管理機能部が、前記端末の通信を行う通信ネットワークを保守する保守者に使用される保守者端末から前記加入者情報を更新するための信号を受信したなら、当該加入者情報を更新し、当該更新後の加入者情報を前記呼処理制御部に送信し、前記呼処理制御部が、前記加入者情報が送信されたなら、前記端末に関する前記通信制御装置におけるリソースを予約するためのリソース予約情報を前記加入者情報に基づいて生成するとともに当該リソース予約情報を前記リソース管理部に送信し、前記リソース管理部が、前記リソース予約情報が送信されたなら、前記通信制御情報を当該リソース予約情報に基づいて生成するとともに当該通信制御情報を前記通信制御装置に送信することを特徴とする通信制御装置の設定変更方法をもって解決手段とする。
【００１１】
第３の本発明は、端末の通信に関する呼処理を行う呼処理サーバであって、前記呼処理サーバは、前記端末の通信の制御を行う通信制御装置とともに用いられ、前記通信制御装置は、当該通信制御装置に対して送信される通信制御情報により当該通信制御装置における前記端末の通信に関する設定の変更を行うものであり、前記呼処理サーバは、前記端末を使用する加入者に関する加入者情報を保持する加入者情報管理機能部と、前記端末の通信に関する呼処理を行う呼処理制御部と、前記通信制御装置のリソースを管理するリソース管理部とを備え、前記加入者情報管理機能部は、前記端末から前記加入者情報を更新するための信号を受信したなら、当該加入者情報を更新し、当該更新後の加入者情報を前記呼処理制御部に送信し、前記呼処理制御部は、前記加入者情報が送信されたなら、前記端末に関する前記通信制御装置におけるリソースを予約するためのリソース予約情報を前記加入者情報に基づいて生成するとともに当該リソース予約情報を前記リソース管理部に送信し、前記リソース管理部は、前記リソース予約情報が送信されたなら、前記通信制御情報を当該リソース予約情報に基づいて生成するとともに当該通信制御情報を前記通信制御装置に送信することを特徴とする呼処理サーバをもって解決手段とする。
【００１２】
第４の本発明は、端末の通信に関する呼処理を行う呼処理サーバであって、前記呼処理サーバは、前記端末の通信の制御を行う通信制御装置とともに用いられ、前記通信制御装置は、当該通信制御装置に対して送信される通信制御情報により当該通信制御装置における前記端末の通信に関する設定の変更を行うものであり、前記呼処理サーバは、前記端末を使用する加入者に関する加入者情報を保持する加入者情報管理機能部と、前記端末の通信に関する呼処理を行う呼処理制御部と、前記通信制御装置のリソースを管理するリソース管理部とを備え、前記加入者情報管理機能部は、前記端末の通信を行う通信ネットワークを保守する保守者に使用される保守者端末から前記加入者情報を更新するための信号を受信したなら、当該加入者情報を更新し、当該更新後の加入者情報を前記呼処理制御部に送信し、前記呼処理制御部は、前記加入者情報が送信されたなら、前記端末に関する前記通信制御装置におけるリソースを予約するためのリソース予約情報を前記加入者情報に基づいて生成するとともに当該リソース予約情報を前記リソース管理部に送信し、前記リソース管理部は、前記リソース予約情報が送信されたなら、前記通信制御情報を当該リソース予約情報に基づいて生成するとともに当該通信制御情報を前記通信制御装置に送信する
ことを特徴とする呼処理サーバをもって解決手段とする
【発明の効果】
【００１３】
本発明によれば、加入者情報管理機能部が、加入者情報を更新するための信号を受信したなら、加入者情報を更新し、更新後の加入者情報を呼処理制御部に送信し、呼処理制御部が、加入者情報が送信されたなら、端末に関する通信制御装置におけるリソースを予約するためのリソース予約情報を加入者情報に基づいて生成するとともに当該リソース予約情報をリソース管理部に送信し、リソース管理部が、リソース予約情報が送信されたなら、通信制御情報を当該リソース予約情報に基づいて生成するとともに当該通信制御情報を通信制御装置に送信することで、加入者情報の更新を契機に通信制御装置の設定変更を行うことができる。
【図面の簡単な説明】
【００１４】
【図１】第１の実施の形態に係る通信制御装置の設定変更方法が実施されるネットワークの構成を示す図である。
【図２】第２実施の形態に係る通信制御装置の設定変更方法が実施されるネットワークの構成を示す図である。
【発明を実施するための形態】
【００１５】
以下、本発明の実施の形態について図面を参照して説明する。
【００１６】
［第１の実施の形態］
図１は、第１の実施の形態に係る通信制御装置の設定変更方法が実施されるネットワークの構成を示す図である。
【００１７】
通信ネットワーク１には、加入者と称されるユーザに使用される端末２および図示しない他の同様な端末が接続され、通信ネットワーク１を介して端末同士が行う通信の転送経路となる転送ネットワーク３、ならびに、かかる通信に関する呼処理を行う呼処理サーバ４を含んでいる。転送ネットワーク３は、端末同士の通信の制御を行う通信制御装置５を備える。呼処理サーバ４は、端末ごとに加入者に関する加入者情報を保持する加入者情報管理機能部４１と、端末同士の通信に関する呼処理を行う呼処理制御部４２と、通信制御装置５と連携してそのリソースを管理するリソース管理部４３とを備える。
【００１８】
通信制御装置５は、ここでは、エッジルータとして説明を行う。なお、通信制御装置５は、エッジルータに限るものではない。
【００１９】
また、呼処理制御部４２は、ここでは、ＳＩＰの規定により、呼処理を行うこととする。つまり、呼処理制御部４２は、ＳＩＰのネゴシエーションで得たセッション状態情報などを管理し、セッション状態情報や加入者情報に基づいて呼処理を行う。
【００２０】
図１において、端末２は、ＩＰアドレスなどの加入者情報を呼処理サーバ４において割り当ててもらう、または変更してもらう、または、割り当てを解除してもらうべく、ＤＨＣＰ信号を通信ネットワーク１に向けて送信する（Ｓ１）。ＤＨＣＰ信号は、ＩＰｖ４のネットワークにおいてはＤＩＳＣＯＶＥＲ、ＩＰｖ６のネットワークにおいてはＳＯＬＩＣＩＴという命令を含み、また、ＲＥＱＵＥＳＴ、ＲＥＮＥＷ、ＲＥＢＩＮＤ等を命令を含む。
【００２１】
通信ネットワーク１では、転送ネットワーク３がＤＨＣＰ信号を呼処理サーバ４に転送する。
【００２２】
呼処理サーバ４では、加入者情報管理機能部４１がＤＨＣＰ信号を受信し、ＤＨＣＰ信号を受信したなら、端末２の加入者情報を更新する。加入者情報管理機能部４１は、例えば、加入者情報としてＩＰアドレスなどを端末２に割り当て、または変更し、または、割り当てを解除し、そのＩＰアドレスや解除の通知を端末２に対して送信する。
【００２３】
加入者情報管理機能部４１は、こうして加入者情報を更新したなら、更新後の加入者情報をＤｉａｍｅｔｅｒ信号等に含めて呼処理制御部４２に送信する（Ｓ２）。加入者情報には、端末２に割り当てられた識別子（ＩＰアドレス等）などが含まれる。Ｄｉａｍｅｔｅｒ信号には、Ｐｕｓｈ−Ｎｏｔｉｆｉｃａｔｉｏｎ−Ｒｅｑｕｅｓｔ等の命令が含まれる。
【００２４】
呼処理制御部４２は、加入者情報を受信したなら、端末２に関する通信制御装置５におけるリソースを予約するためのリソース予約情報を加入者情報に基づいて生成するとともに当該リソース予約情報をＤｉａｍｅｔｅｒ信号等に含めてリソース管理部４３に送信する（Ｓ３）。リソース予約情報には、加入者情報に含まれた端末２の識別子（ＩＰアドレス等）や呼処理サーバ４のパスやＳＩＰのネゴシエーションの結果などが含まれる。Ｄｉａｍｅｔｅｒ信号には、ＡＡ−Ｒｅｑｕｅｓｔ等の命令が含まれる。
【００２５】
リソース管理部４３は、リソース予約情報を受信したなら、通信制御装置５における端末２に関する通信の設定を変更するための通信制御情報をリソース予約情報に基づいて生成するとともに当該通信制御情報ならびに端末２に関する通信の設定を変更するための指示をＭｅｇａｃｏ（ｍｅｄｉａ  ｇａｔｅｗａｙ  ｃｏｎｔｒｏｌ）信号等に含めて通信制御装置５に送信する（Ｓ４）。リソース管理部４３は、例えば、リソース予約情報に含まれるＳＩＰのネゴシエーションの結果に基づいて、端末２に関する通信で必要な帯域を計算し、これを通信制御情報に含ませる。また、リソース管理部４３は、リソース予約情報に含まれた端末２の識別子（ＩＰアドレス等）や呼処理サーバ４のパスを通信制御情報に含ませる。Ｍｅｇａｃｏを用いた信号には、Ａｄｄ、Ｍｏｄｉｆｙ等の命令が含まれる。
【００２６】
通信制御装置５は、通信制御情報および設定変更の指示を受信したなら、端末２に関する通信の設定を変更する。通信制御装置５は、ここでは、端末２と呼処理サーバ４との通信路の帯域を通信制御情報に基づいて設定する。
【００２７】
なお、ここでは、端末２を例に説明を行ったが、他の端末に関する通信の設定変更も同様にして行われる。
【００２８】
したがって、第１の実施の形態によれば、加入者情報管理機能部４１が、例えば端末２から加入者情報を更新するための信号を受信したなら、加入者情報を更新し、更新後の加入者情報を呼処理制御部４２に送信し、呼処理制御部４２が、加入者情報が送信されたなら、端末２に関する通信制御装置５におけるリソースを予約するためのリソース予約情報を加入者情報に基づいて生成するとともに当該リソース予約情報をリソース管理部４３に送信し、リソース管理部４３が、リソース予約情報が送信されたなら、通信制御装置５における端末２に関する通信の設定を変更するための通信制御情報をリソース予約情報に基づいて生成するとともに当該通信制御情報を通信制御装置に送信するので、加入者情報の更新を契機に通信制御装置５における端末２に関する通信の設定を変更を行うことができる。
【００２９】
［第２の実施の形態］
次に、本発明の第２の実施の形態について説明する。第２の実施の形態では、第１の実施の形態に同一または類似の装置および装置構成を用い、同一または類似のものについては第１の実施の形態で使用した符号を使用して重複説明を略し、第１の実施の形態とは異なる事項を中心に説明を行う。
【００３０】
図２は、第２の実施の形態に係る通信制御装置の設定変更方法が実施されるネットワークの構成を示す図である。
【００３１】
通信ネットワーク１は、保守ネットワーク６に接続され、保守ネットワーク６には、保守ネットワーク６を保守する保守者に使用される保守者端末７が含まれる。
【００３２】
保守者端末７は、ＩＰアドレスなどの加入者情報を呼処理サーバ４において割り当ててもらう、または変更してもらう、または、割り当てを解除してもらうべく、信号を呼処理サーバ４に送信する（Ｓ１Ａ）。
【００３３】
呼処理サーバ４では、加入者情報管理機能部４１が信号を受信したなら、第１の実施の形態と同様に、端末２の加入者情報を更新する。
【００３４】
以下、呼処理制御部４２、リソース管理部４３、通信制御装置５の動作は、第１の実施の形態と同様なので、説明を省略する。
【００３５】
したがって、第２の実施の形態によれば、第１の実施の形態と同様に、加入者情報の更新を契機に通信制御装置５における端末に関する通信の設定を変更を行うことができる。
【００３６】
なお、各実施の形態に係る呼処理サーバ４としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００３７】
１…通信ネットワーク
２…端末
３…転送ネットワーク
４…呼処理サーバ
５…通信制御装置
６…保守ネットワーク
７…保守者端末
４１…加入者情報管理機能部
４２…呼処理制御部
４３…リソース管理部
【図１】
0005603842.tif 000002
【図２】
0005603842.tif 000003